(57)【特許請求の範囲】
【請求項１】
缶底部に地板が巻締められているとともに最上部に開口部が形成されている缶胴体と、上記開口部を閉蓋する天蓋とを備えるペール缶又はドラム缶等の金属製収納容器において、
上記缶胴体は、上記開口部外側に巻き込み突出形成された湾曲形状の固定縁部を有し、
上記天蓋は、上記固定縁部と重なる部位に湾曲形状に折り曲げられた周縁溝部と、上記周縁溝部に嵌め込まれた断面円形の密実なパッキンとを有し、上記パッキンを上記固定縁部に重ねることで上記開口部を閉蓋可能とされ、
上記周縁溝部の下端における最内周端は、上記パッキンの最外周端よりも内側に折り曲げられて、上記周縁溝部は、上記パッキンの断面を囲繞しているとともに、下端の幅が上記パッキンの断面の最大幅より狭くなっていること
を特徴とする金属製収納容器。
【請求項２】
上記周縁溝部の下端における最内周端は、上記固定縁部の最外周端よりも外側に位置するように折り曲げられていること
を特徴とする請求項１記載の金属製収納容器。
【請求項３】
上記周縁溝部の下端における最内周端は、平面視で上記パッキンの最外周端よりも上記固定縁部の最外周端側に近接させてなること
を特徴とする請求項２記載の金属製収納容器。
【請求項４】
上記周縁溝部における下端は、その周方向に向けて連続して又は断続的に、内側に折り曲げられていること
を特徴とする請求項１〜３のうち何れか１項記載の金属製収納容器。
【請求項５】
缶底部に地板が巻締められているとともに最上部に開口部が形成されている缶胴体と、上記開口部を閉蓋する天蓋とを備えるペール缶又はドラム缶等の金属製収納容器において、
上記缶胴体は、上記開口部外側に巻き込み突出形成された湾曲形状の固定縁部を有し、
上記天蓋は、周端が上方に折り曲げられて延長される上方延長部と、上記上方延長部の
上端から連続するとともに上記固定縁部と重なる部位に湾曲形状に折り曲げられた周縁溝部と、上記周縁溝部に嵌め込まれた断面円形の密実なパッキンとを有し、上記パッキンを上記固定縁部に重ねることで上記開口部を閉蓋可能とされ、
上記上方延長部の上端から外側に突出された突出部が形成され、当該突出部の最外周端は、上記パッキンの最内周端よりも外側に位置することにより、
上記周縁溝部は、上記パッキンの断面を囲繞しているとともに、下端と上記突出部との間隔が上記パッキンの断面の最大幅より狭くなっていること
を特徴とする金属製収納容器。
【請求項６】
上記突出部の最外周端は、上記缶胴体の内面よりも内側に位置してなること
を特徴とする請求項５記載の金属製収納容器。
【請求項７】
上記突出部の最外周端は、平面視で上記パッキンの最内周端よりも上記缶胴体の内面に
近接させてなること
を特徴とする請求項６記載の金属製収納容器。
【請求項８】
上記突出部は、その周方向に向けて連続して又は断続的に設けられていること
を特徴とする請求項５〜７のうち何れか１項記載の金属製収納容器。
【請求項９】
上記パッキンは、上記周縁溝部に対して接着剤を介することなく嵌め込まれていること
を特徴とする請求項１〜８のうち何れか１項記載の金属製収納容器。
【請求項１０】
缶底部に地板が巻締められているとともに最上部に開口部が形成されている缶胴体と、上記開口部を閉蓋する天蓋とを備えるペール缶又はドラム缶等の金属製収納容器において、
上記缶胴体は、上記開口部外側に巻き込み突出形成された湾曲形状の固定縁部を有し、
上記天蓋は、周端が上方に折り曲げられて延長される上方延長部と、上記上方延長部の上端から連続するとともに上記固定縁部と重なる部位に湾曲形状に折り曲げられた周縁溝部と、上記周縁溝部に嵌め込まれた断面円形の密実なパッキンとを有し、上記パッキンを上記固定縁部に重ねることで上記開口部を閉蓋可能とされ、
上記周縁溝部の下端における最内周端は、上記パッキンの最外周端よりも内側に折り曲げられ、上記周縁溝部は、上記パッキンの断面を囲繞しているとともに、下端の幅が上記パッキンの断面の最大幅より狭くなっており、
上記上方延長部の上端から外側に突出された突出部が形成され、当該突出部の最外周端は、上記パッキンの最内周端よりも外側に位置すること
を特徴とする金属製収納容器。
【発明の詳細な説明】
【技術分野】
【０００１】
本発明は、ペール缶又はドラム缶等のように円筒状に成形されて缶底部に地板が巻締められている缶胴体と、これを閉蓋する天蓋からなる収納容器に関する。
【背景技術】
【０００２】
ペール缶やドラム缶等の収納容器が従来から広く用いられている。この収納容器は、薬品や塗料、オイル等をはじめとした各種液体の保管や運搬等の用途に利用される。また、この収納容器は、通常断面円形状に構成されてなるとともに上部に開口部を有し、当該開口部を円形の容器蓋によって密閉可能とされている。
【０００３】
ちなみに、この容器蓋には、収納容器本体を嵌め込むための嵌合溝が円環状に形成されてなり、この嵌合溝には、容器内部の気密性や液密性を維持するために樹脂製及びゴム製のパッキンが設けられている場合が多い。
【０００４】
図１１は、特許文献１に開示されているように嵌合溝にゴム製のパッキンを設けた収納容器において、実際に蓋と容器本体を締め付け固定した状態を示す切断拡大断面図である。ペール缶等の収納容器５１は、上部を全開口してなる開口部５２、この開口部５２の外側に適宜な幅に巻き込まれて湾曲突出形成された蓋固定縁部５３とからなる容器本体と、蓋固定縁部５３の上部全周に密着する弾性復元力のあるリングパッキン５６と、蓋本体５７、この蓋本体５７の蓋固定縁部５３と重なる部位に形成された、蓋固定縁部５３とリングパッキン５６を挟んで重なる縁重なり部５８、蓋固定縁部５３の中ほどより内側の適宜な部位に向かい合う前記縁重なり部の一部を、蓋６０と、この蓋６０の縁重なり部５８と容器本体５５の蓋固定縁部５３間とを押さえつけて、リングパッキン５６を収縮密着させ、縁重なり部５８と蓋固定縁部５３を密閉状態にして固定する。
【０００５】
ところで、縁重なり部５８にリングパッキン５６が離れないように密着させるためには、リングパッキン５６を縁重なり部５８に接着剤により接着することで、これらが互いに離間しないようにする方法もある。しかしながら、この接着剤は、溶剤系、水性系、反応系（硬化剤と接着剤との二液タイプ）に分類されるが、使用時においてそれぞれ欠点がある。先ず溶剤系接着剤は、揮発性があり、これが気化した場合に作業員の健康面に悪影響を及ぼす。このような溶剤系接着剤が気化した気体を取り除くためには、別途気体除去用ダクトを工場内に設ける必要があり、製造設備の構築に要するコストが過大になってしまう。また、水性系接着剤は、水分を除去するために乾燥機が必要となり、製造設備コストが過大になってしまう。これに加えて水性系接着剤は、接着成分を完全に乾燥させて固化させるまでに長時間を要することから製造時間が長期化してしまうという問題点が生じる。更に反応系接着剤の場合には、他の接着剤と比較して精密な塗布装置が必要となり、製造設備コストが大きくなってしまうという問題がある。また一般的にこの反応系接着剤は、高価であり、材料コストが大きくなるという問題点が生じる。更に反応系接着剤は、硬化剤を所定の分量に亘って混合するため、接着剤を供給する配管内において固まってしまい、定期的に洗浄する必要性が生じるとともに、随時メンテナンスに伴う作業も発生し、生産効率が悪化してしまう。また、この反応系接着剤によれば、配管内において過度に固まって洗浄そのものが困難になる場合もあり、余儀なく配管を交換しなければならないときもあることから、生産効率が更に悪化してしまう。
【０００６】
また、これら溶剤系、水性系、反応系接着剤の何れにおいても共通しているデメリットとしては、接着剤の塗布を人手で行う場合には、その労力の負担が増大し、人件費が大きくなる。また、接着剤の塗布を機械で行う場合には、製造設備コストが増大してしまう。また接着剤の塗布工程が必ず入ることから、製造期間の短縮化を阻害することにもなる。これに加えて、製造の過程で、接着剤がリングパッキン５６からはみ出してしまうこともあり、外観が悪化してしまうという問題点もある。更に収納容器内に有機溶剤を収納する場合には、この接着剤が気化した際にかかる有機溶剤に悪影響を及ぼしてしまう場合もある。
【０００７】
このため、接着剤を使用することなく、縁重なり部５８にリングパッキン５６が離れないように密着させることが可能な技術が従来より望まれていた。
【先行技術文献】
【特許文献】
【０００８】
【特許文献１】特開２０００−１７７７６５号公報
【発明の概要】
【発明が解決しようとする課題】
【０００９】
そこで本発明は、上述した問題点に鑑みて案出されたものであり、その目的とするところは、接着剤を使用することなく、縁重なり部にリングパッキンが離れないように密着させることが可能な収納容器を提供することにある。
【課題を解決するための手段】
【００１０】
第１発明に係る金属製収納容器は、缶底部に地板が巻締められているとともに最上部に開口部が形成されている缶胴体と、上記開口部を閉蓋する天蓋とを備えるペール缶又はドラム缶等の金属製収納容器において、上記缶胴体は、上記開口部外側に巻き込み突出形成された湾曲形状の固定縁部を有し、上記天蓋は、上記固定縁部と重なる部位に湾曲形状に折り曲げられた周縁溝部と、上記周縁溝部に嵌め込まれた断面円形の密実なパッキンとを有し、上記パッキンを上記固定縁部に重ねることで上記開口部を閉蓋可能とされ、上記周縁溝部の下端における最内周端は、上記パッキンの最外周端よりも内側に折り曲げられて、上記周縁溝部は、上記パッキンの断面を囲繞しているとともに、下端の幅が上記パッキンの断面の最大幅より狭くなっていることを特徴とする。
【００１１】
第２発明に係る金属製収納容器は、第１発明において、上記周縁溝部の下端における最内周端は、上記固定縁部の最外周端よりも外側に位置するように折り曲げられていることを特徴とする。
【００１２】
第３発明に係る金属製収納容器は、第２発明において、上記周縁溝部の下端における最内周端は、平面視で上記パッキンの最外周端よりも上記固定縁部の最外周端側に近接させてなることを特徴とする。
【００１３】
第４発明に係る金属製収納容器は、第１〜第３発明の何れかにおいて、上記周縁溝部における下端は、その周方向に向けて連続して又は断続的に、内側に折り曲げられていることを特徴とする。
【００１４】
第５発明に係る金属製収納容器は、缶底部に地板が巻締められているとともに最上部に開口部が形成されている缶胴体と、上記開口部を閉蓋する天蓋とを備えるペール缶又はドラム缶等の金属製収納容器において、上記缶胴体は、上記開口部外側に巻き込み突出形成された湾曲形状の固定縁部を有し、上記天蓋は、周端が上方に折り曲げられて延長される上方延長部と、上記上方延長部の上端から連続するとともに上記固定縁部と重なる部位に湾曲形状に折り曲げられた周縁溝部と、上記周縁溝部に嵌め込まれた断面円形の密実なパッキンとを有し、上記パッキンを上記固定縁部に重ねることで上記開口部を閉蓋可能とされ、上記上方延長部の上端から外側に突出された突出部が形成され、当該突出部の最外周端は、上記パッキンの最内周端よりも外側に位置することにより、上記周縁溝部は、上記パッキンの断面を囲繞しているとともに、下端と上記突出部との間隔が上記パッキンの断面の最大幅より狭くなっていることを特徴とする。
【００１５】
第６発明に係る金属製収納容器は、第５発明において、上記突出部の最外周端は、上記缶胴体の内面よりも内側に位置してなることを特徴とする。
【００１６】
第７発明に係る金属製収納容器は、第６発明において、上記突出部の最外周端は、平面視で上記パッキンの最内周端よりも上記缶胴体の内面に近接させてなることを特徴とする。
【００１７】
第８発明に係る金属製収納容器は、第５〜第７発明の何れかにおいて、上記突出部は、その周方向に向けて連続して又は断続的に設けられていることを特徴とする。
【００１９】
第９発明に係る金属製収納容器は、第１〜第８発明の何れかにおいて、上記パッキンは、上記周縁溝部に対して接着剤を介することなく嵌め込まれていることを特徴とする。
【００２０】
第１０発明に係る金属製収納容器は、缶底部に地板が巻締められているとともに最上部に開口部が形成されている缶胴体と、上記開口部を閉蓋する天蓋とを備えるペール缶又はドラム缶等の金属製収納容器において、上記缶胴体は、上記開口部外側に巻き込み突出形成された湾曲形状の固定縁部を有し、上記天蓋は、周端が上方に折り曲げられて延長される上方延長部と、上記上方延長部の上端から連続するとともに上記固定縁部と重なる部位に湾曲形状に折り曲げられた周縁溝部と、上記周縁溝部に嵌め込まれた断面円形の密実なパッキンとを有し、上記パッキンを上記固定縁部に重ねることで上記開口部を閉蓋可能とされ、上記周縁溝部の下端における最内周端は、上記パッキンの最外周端よりも内側に折り曲げられ、上記周縁溝部は、上記パッキンの断面を囲繞しているとともに、下端の幅が上記パッキンの断面の最大幅より狭くなっており、上記上方延長部の上端から外側に突出された突出部が形成され、当該突出部の最外周端は、上記パッキンの最内周端よりも外側に位置することを特徴とする。
【発明の効果】
【００２１】
上述した構成からなる本発明によれば、周縁溝部の下端における最内周端を、リングパッキンの最外周端よりも内側に位置させている。これにより、リングパッキンは、下端を介して下側から支持されることとなる。その結果、リングパッキンが、周縁溝部から落下してしまうのを防止することができる。特に天蓋の上から叩く等の衝撃を加えた場合においてもリングパッキンは周縁溝部の下端をすり抜けて容易に落下してしまうことを防止することができる。しかも本発明によれば、接着剤を使用することなくリングパッキンが周縁溝部から逸脱することを防止できる。
【００２２】
また本発明は、接着剤を用いることなく実現できるため、以下の優れた効果を奏する。溶剤系接着剤を使用することによる作業員の健康面に悪影響を及ぼすことを防止でき、溶剤系接着剤が気化した気体を取り除くためには気体除去用ダクトを工場内に設ける必要も無くなり、製造設備の構築に要するコストの軽減が図れる。また水性系接着剤を使用することによる、水分の除去するための乾燥機が必要なくなり、製造設備コストを抑えることができる。これに加えて水性系接着剤の接着成分を完全に乾燥させて固化させるまでに長時間を要することも無くなり、製造時間を短縮化することができる。更に反応系接着剤を使用することによる、精密な塗布装置が必要なくなり、製造設備コストを抑えることができる。更に反応系接着剤の配管内の硬化による定期的な洗浄や配管の交換も必要なくなり、生産効率を向上させることが可能となる。
【００２３】
また製造の過程で、接着剤がリングパッキンからはみ出してしまうことも無くなり、外観が悪化してしまうのを防止できる。更に収納容器内に有機溶剤を収納する場合には、この接着剤が気化した際にかかる有機溶剤に悪影響を及ぼしてしまうことを防止することができる。
【図面の簡単な説明】
【００２４】
【図１】本発明を適用した収納容器の組立分解斜視図及び蓋の縁重なり部の構成を示す拡大断面図である。
【図２】図１における天蓋におけるＡ部の第１実施形態の拡大断面図である。
【図３】第１実施形態において、天蓋の周縁溝部を固定縁部に嵌め込んだ状態を示す図である。
【図４】第１実施形態において、図３におけるＢ部拡大図である。
【図５】第１実施形態において、天蓋を上から視認した状態を示す平面図である。
【図６】図１における天蓋におけるＡ部の第２実施形態の拡大断面図である。
【図７】第２実施形態において、天蓋の周縁溝部を固定縁部に嵌め込んだ状態を示す図である。
【図８】第２実施形態において、図７におけるＣ部拡大図である。
【図９】第２実施形態において、天蓋を上から視認した状態を示す平面図である。
【図１０】図１における天蓋におけるＡ部の第３実施形態の拡大断面図である。
【図１１】従来技術について説明するための図である。
【発明を実施するための形態】
【００２５】
以下、本発明の実施の形態について詳細に説明する。
【００２６】
図１は、本発明を適用した収納容器の組立分解斜視図及び蓋の縁重なり部の構成を示す拡大断面図である。収納容器１は、例えばペール缶又はドラム缶等に具現化されるものであって、円筒状に成形されて缶底部に地板が巻締められているとともに上部を全開口してなる開口部２と、この開口部２の外側に適宜な幅に巻き込まれて湾曲形状となるように突出形成された固定縁部３とを有する缶胴体５と、この缶胴体５の周面に設けられた提手４と、開口部２を閉蓋する天蓋７とを備えている。この天蓋７は、閉蓋時において固定縁部３と重なる部位に形成された周縁溝部９を有している。なお、本発明は、ペール缶やドラム缶以外のいかなる缶体に対しても適用可能であり、その形状も円筒状のものに限定されるものではない。
【００２７】
第１実施形態
本発明を適用した収納容器の第１実施形態の構成について以下説明をする。図２は、図１における天蓋７におけるＡ部の第１実施形態の拡大断面図を示している。天蓋７は、その周端が上方に折り曲げられて延長される上方延長部１２と、この上方延長部１２から連続する周縁溝部９とを有している。この周縁溝部９は、断面円弧状となるように成形されている。また円弧状に折り曲げられた周縁溝部９は、頂部１３ａから先端にかけて除々に下側に向けて立下り、その下端１４まで到達する。この下端１４は、外側上方に向けて折り返されていてもよい。また周縁溝部９の内側には、リングパッキン２０が嵌め込まれている。このリングパッキン２０は、周縁溝部９に対して接着剤を介することなく嵌め込まれていることから、周縁溝部９とリングパッキン２０とは直接的に接触されている状態となっている。但し、この周縁溝部９とリングパッキン２０との間に、接着剤を塗布するものであってもよいことは勿論である。ちなみに、このリングパッキン２０の断面形状は、円形とされていてもよいし、その他楕円形状、三日月形状、半円形上、多角形状等、いかなる形状で構成されていてもよい。
【００２８】
周縁溝部９の下端１４における最内周端Ｋ１は、リングパッキン２０の最外周端Ｐ１よりも内側に、換言すれば上方延長部１２側に位置するように形成されている。周縁溝部９の下端１４は、図２に示すように折り返されてなるとともにその輪郭は曲線形状とされているが、このような下端のうち、最も内側に位置する端部から上下方向に垂線を引いたものがこのＫ１線となる。また、リングパッキン２０も同様に図２に示すように円弧状の周縁溝部９に応じた曲率を持っているが、最も外側に位置する端部から上下方向に垂線を引いたものがこのＰ１線となる。
【００２９】
このように周縁溝部９の下端１４における最内周端Ｋ１は、リングパッキン２０の最外周端Ｐ１よりも内側に位置させることにより、リングパッキン２０は、下端１４を介して下側から支持されることとなる。その結果、リングパッキン２０が、周縁溝部９から落下してしまうのを防止することができる。特に天蓋７の上から叩く等の衝撃を加えた場合においてもリングパッキン２０は周縁溝部９の下端１４をすり抜けて容易に落下してしまうことを防止することができる。しかも本発明によれば、接着剤を使用することなくリングパッキン２０が周縁溝部９から逸脱することを防止できる。このため、接着剤を使用することにより、完全に乾燥するまで長時間を要することも無くなり、製造期間の短縮化を図ることもできる。また製造の過程で、接着剤がリングパッキン２０からはみ出してしまうことも無くなり、外観が悪化してしまうのを防止できる。更に収納容器内に有機溶剤を収納する場合には、この接着剤が気化した際にかかる有機溶剤に悪影響を及ぼしてしまうことを防止することができる。
【００３０】
上述の如き構成からなる缶胴体５を天蓋７により閉蓋する場合について以下説明をする。先ず天蓋７を開口部２の上から降ろしていく。このとき図３に示すように天蓋７の周縁溝部９は固定縁部３の直上に位置合わせを行い、周縁溝部９を固定縁部３に嵌め込むようにしてこれを降ろしていく。その結果、周縁溝部９に嵌め込まれたリングパッキン２０が固定縁部３の上面に当接されることになる。そしてこの状態で、リングパッキン２０が固定縁部３に接触支持されることになる。リングパッキン２０は、この固定縁部３の湾曲形状に応じて弾性変形する。
【００３１】
図４は、この図３におけるＢ部拡大図である。周縁溝部９の下端１４における最内周端Ｋ１は、固定縁部３の最外周端Ｑ１よりも外側に位置するように折り曲げられている。この固定縁部３の最外周端Ｑ１は、固定縁部３のうち最も外側に位置する端部から上下方向に垂線を引いたものである。最内周端Ｋ１は、固定縁部３の最外周端Ｑ１よりも外側に位置するように折り曲げられていることにより、周縁溝部９の下端１４が固定縁部３に衝突してしまうのを防止することが可能となる。これにより、周縁溝部９の下端１４が固定縁部３に衝突してしまうことにより、互いにぶつかってこすれてしまうのを防止できる。これに加えて、周縁溝部９及び固定縁部３の表面に塗布されたニスが剥離するのを防止でき、さらにこの剥離したニスが内容物に異物として混合してしまうのを防止することができる。
【００３２】
また、周縁溝部９の下端１４における最内周端Ｋ１は、図４に示すように、平面視でリングパッキン２０の最外周端Ｐ１よりも固定縁部３の最外周端Ｑ１側に近接させていることが望ましい。図４中のＳ線は、水平線である。この平面視で視認した場合に、このＳ線上において交差するＫ１は、同じくＳ線上で交差するＰ１よりもＱ１に近いことが明確に示されている。これにより、周縁溝部９の最内周端Ｋ１を、最外周端Ｐ１よりも更に内側に位置させて、むしろ固定縁部３の最外周端Ｑ１に近接させることができ、リングパッキン２０は、周縁溝部９の下端１４を介して下側から安定した状態で支持されることとなる。その結果、リングパッキン２０が、周縁溝部９から落下してしまうのをより強固に防止することができる。
【００３３】
図５は、天蓋７を上から視認した状態を示す平面図である。最内周端Ｋ１が、リングパッキン２０の最外周端Ｐ１よりも内側に折り曲げられている箇所Ｗは、リングパッキン２０の周方向に向けて断続的に設けられている。この箇所Ｗを断続的に設ける場合の方が、ハンマー等で叩く等の作業のみで実現できることから楽な加工作業となる。但し、この箇所Ｗは、周方向に断続的に設けられる場合に限定されるものではなく、連続的に設けられるものであってもよい。特に連続的に箇所Ｗを設けることにより、凹凸が視覚的に見えにくくなり、特殊な加工を施したという印象をユーザに対して与えるのを防止することができる。
【００３４】
第２実施形態
本発明を適用した収納容器の第２実施形態の構成について以下説明をする。図６は、図１における天蓋７におけるＡ部の第２実施形態の拡大断面図を示している。この第２実施形態について、上述した第１実施形態と同一の構成要素、部材については、同一の符号を付すことにより以下での説明を省略する。
【００３５】
上方延長部１２の上端から外側に突出された突出部２２が形成されている。この突出部２２の最外周端Ｋ２は、リングパッキン２０の最内周端Ｐ２よりも外側に位置するように調整されている。突出部２２における周縁溝部９内に突出された輪郭は曲線形状とされているが、最も外側に位置する部分から上下方向に垂線を引いたものがこのＫ２線となる。また、リングパッキン２０も同様に図６に示すような円弧状の周縁溝部９に応じた曲率を持っているが、最も内側に位置する端部から上下方向に垂線を引いたものがこのＰ２線となる。
【００３６】
このように突出部２２の最外周端Ｋ２は、リングパッキン２０の最内周端Ｐ２よりも外側に位置するように形成していることにより、リングパッキン２０は、突出部２２の上面を介して下側から支持されることとなる。その結果、リングパッキン２０が、周縁溝部９から落下してしまうのを防止することができる。特に天蓋７の上から叩く等の衝撃を加えた場合においてもリングパッキン２０は周縁溝部９の突出部２２をすり抜けて容易に落下してしまうことを防止することができる。
【００３７】
上述の如き構成からなる缶胴体５を天蓋７により閉蓋する場合について以下説明をする。先ず天蓋７を開口部２の上から降ろしていく。このとき図７に示すように天蓋７の周縁溝部９は固定縁部３の直上に位置合わせを行い、周縁溝部９を固定縁部３に嵌め込むようにしてこれを降ろしていく。その結果、周縁溝部９に嵌め込まれたリングパッキン２０が固定縁部３の上面に当接されることになる。そしてこの状態で、リングパッキン２０が固定縁部３に接触支持されることになる。リングパッキン２０は、この固定縁部３の湾曲形状に応じて弾性変形する。
【００３８】
図８は、この図７おけるＣ部拡大図である。突出部２２の最外周端Ｋ２は、缶胴体５の内面Ｑ２よりも内側に位置するように調整されている。この缶胴体５の内面Ｑ２は、缶胴体５の側壁内面５ａ上下方向に垂線を延長したものである。突出部２２の最外周端Ｋ２は、缶胴体５の内面Ｑ２よりも内側に位置するように形成されていることにより、周縁溝部９の突出部２２が固定縁部３（缶胴体５）に衝突してしまうのを防止することが可能となる。これにより、周縁溝部９の突出部２２が固定縁部３に衝突してしまうことにより、互いにぶつかってこすれてしまうのを防止できる。これに加えて、周縁溝部９及び固定縁部３の表面に塗布されたニスが剥離するのを防止でき、さらにこの剥離したニスが内容物に異物として混合してしまうのを防止することができる。
【００３９】
また、突出部２２の最外周端Ｋ２は、図８に示すように、平面視でリングパッキン２０の最内周端Ｐ２よりも、缶胴体５の内面Ｑ２側に近接させていることが望ましい。図４中のＴ線は、水平線である。この平面視で視認した場合に、このＴ線上において交差するＫ２は、同じくＴ線上で交差するＰ２よりもＱ２に近いことが明確に示されている。これにより、突出部２２の最外周端Ｋ２を、リングパッキン２０の最内周端Ｐ２よりも更に外側に位置させて、むしろ缶胴体５の内面Ｑ２に近接させることができ、リングパッキン２０は、突出部２２の上面を介して下側から安定した状態で支持されることとなる。その結果、リングパッキン２０が落下してしまうのをより強固に防止することができる。
【００４０】
図９は、天蓋７を上から視認した状態を示す平面図である。突出部２２の最外周端Ｋ２が突出されている箇所Ｘは、リングパッキン２０の周方向に向けて断続的に設けられている。この箇所Ｘを断続的に設ける場合の方が、ハンマー等で叩く等の作業のみで実現できることから楽な加工作業となる。但し、この箇所Ｘは、周方向に断続的に設けられる場合に限定されるものではなく、連続的に設けられるものであってもよい。特に連続的に箇所Ｘを設けることにより、凹凸が視覚的に見えにくくなり、特殊な加工を施したという印象をユーザに対して与えるのを防止することができる。
【００４１】
第３実施形態
本発明を適用した収納容器の第３実施形態の構成について以下説明をする。図１０は、図１における天蓋７におけるＡ部の第３実施形態の拡大断面図を示している。この第３実施形態について、上述した第１実施形態、第２実施形態と同一の構成要素、部材については、同一の符号を付すことにより以下での説明を省略する。
【００４２】
この第３実施形態においては、周縁溝部９の下端１４における最内周端Ｋ１は、リングパッキン２０の最外周端Ｐ１よりも内側に、換言すれば上方延長部１２側に位置するように形成されている。また、上方延長部１２の上端から外側に突出された突出部２２が形成されている。この突出部２２の最外周端Ｋ２は、リングパッキン２０の最内周端Ｐ２よりも外側に位置するように調整されている。この下端１４、突出部２２の詳細な形状や位置関係は、何れも第１実施形態、第２実施形態と同様である。
【００４３】
このような第３実施形態においては、リングパッキン２０は、下端１４を介して下側から支持され、突出部２２の上面を介して下側から支持されることとなる。その結果、リングパッキン２０が、周縁溝部９から落下してしまうのをより防止することができる。特に天蓋７の上から叩く等の衝撃を加えた場合においてもリングパッキン２０は周縁溝部９の突出部２２をすり抜けて容易に落下してしまうことをより強固に防止することができる。
【００４４】
なお、第１実施形態〜第３実施形態において、図示しない固定バンドを介して周縁溝部９と固定縁部３とを押さえつけるようにしてもよいことは勿論である。
【符号の説明】
【００４５】
１  収納容器
２  開口部
３  固定縁部
４  提手
５  缶胴体
５ａ  側壁内面
７  天蓋
９  周縁溝部
１２  上方延長部
１３ａ  頂部
１４  下端
２０  リングパッキン
２２  突出部
５１  収納容器
５２  開口部
５３  蓋固定縁部
５５  容器本体
５６  リングパッキン
５７  蓋本体
５８  縁重なり部
５９  突出部
６０  蓋
６１  固定バンド
【図１】
0006395671.tif 000002
【図２】
0006395671.tif 000003
【図３】
0006395671.tif 000004
【図４】
0006395671.tif 000005
【図５】
0006395671.tif 000006
【図６】
0006395671.tif 000007
【図７】
0006395671.tif 000008
【図８】
0006395671.tif 000009
【図９】
0006395671.tif 000010
【図１０】
0006395671.tif 000011
【図１１】
0006395671.tif 000012